(57)【特許請求の範囲】
【請求項１】
電源回路、カウンター表示部を備えたカウンター回路、ハードディスク又はソリッドステートドライブを含む記憶装置が搭載された電子機器の電子基板に配された二極又は三極の交流回路接続端子に、
超高周波ノイズフィルターと、クラス３の応答開始電圧の保護レベル２３０Ｖから反応する第１の避雷素子と、クラス２の応答開始電圧の保護レベル２．５ＫＶから応答する第２の避雷素子と、クラス１の制限電圧の保護レベル１．４ＫＶから反応する第３の避雷素子とを並列に接続すると共に、
前記記憶装置に放電可能なサージ電流放電回路を、前記電子基板に付設し、
雷を含むサージ電流が流れたときには、該サージ電流を前記第１乃至第３の避雷素子で阻止し、ウイルスデータが侵入したときに限り、前記サージ電流放電回路によって、前記第１乃至第３の避雷素子の保護レベルに反応しない電圧と電流を前記記憶装置に放電することで、
前記電子機器の前記記憶装置に格納されたウイルスデータを破壊することを特徴とする電子機器の記憶装置格納データの削除システム。
【発明の詳細な説明】
【技術分野】
【０００１】
本発明は、ＧＰＳ・地上デジタル放送や携帯電話の電波やノイズ（雷・静電気・磁気・電磁波）からのサージ電流が、全ての電線からの侵入で、電子機器内の電子部品のハードの破壊防止とソフトの誤作動を防止するために、ノイズフィルターと、ＳＰＤ（ギャップ・酸化亜鉛・その他の素子）でノイズ（雷、静電気、電磁波）対策された電力回路分電盤とコンセント回路に、ノイズカウンター回路とＳＰＤ回路を各々並列接続し、且つ、電子機器内部の電力回路にも搭載し、しかも、送信側と受信側の通信ケーブルにも少なくとも二局間以上の端末にＳＰＤ（ギャップ・酸化亜鉛又は、他の素子）を並列接続し、更に、建築物内部の複数階であれば水平アース極と垂直アース極をニアバイアースし、敷地内の複数の建築物間の大地の垂直地層と水平地層の複数のアース極をニアバイアースした等電位ボンディングアース接地極に、全てのノイズを大地の水平地層と垂直地層の等電位ボンディングアース極に流し、全てのコンピュータ又は、携帯電話やＥＶ内のコンピュータ内の記憶装置に格納されたデータの消去並びにコンピュータウイルスを駆除するシステムに関し、とくに、ハードディスク（ＨＤＤ）又はソリッドステートドライブ（ＳＳＤ）等に格納されたデータを短時間且つ容易に消去してデータの流出を防止し、また、コンピュータウイルスを根本的に削除してコンピュータ・携帯端末・記憶装置付きテレビ又は通信システム付き精密機器やタブレット端末を保護するシステムに関するものである。
【０００２】
現在、低炭素排出社会を構築するための発電技術として、自然エネルギーである太陽光、風力、水力、水素、地熱、水位潮流を利用した発電システム、宇宙から到来するマイクロ波をアンテナで受信して、その電波を電力に変換するシステム等が開発されている。
【０００３】
一方、ガソリン等の化石燃料を使用して駆動するエンジンを搭載した自動車、船舶、航空機等は、蓄電池とモーターによるエンジンの全電気化、または、化石燃料エンジンとモーターを併用したハイブリッド化が進んでいる。ちなみに、米国では、発電した電力を光通信や無線で管理する電力供給の実験を光通信や高速通信ネットワークで管理する技術が既に始まっている。
【０００４】
このように、エネルギー資源の化石燃料からの脱却が推進される中で、自然エネルギーにより発電した電力を蓄電池等に蓄えたり、光通信や無線システムで管理する際に新たな問題が発生している。
【０００５】
その問題とは、
（１）国内外において、特に日本では、近年、雷対策が法制化された中で、分電盤内に、ＳＰＤ（クラス１、クラス２を並列接続）を取り付けることと、等電位ボンディングアースバーを取り付けることが義務付けられた。これは分電盤から分岐されたコンセント内部に等電位アース極を取り付ける法律であるが、ＯＡタップコンセント内部の電子基板内の電力回路には、低レベルのサージ電流又は静電気以下のノイズ電流や、ブレーカーのＯＮ、ＯＦＦ時のノイズ電流から守る程度のサージアブソーバーＳＰＤが取り付けられているだけである。したがって、雷、静電気、電磁波の過剰電流のハイレベルから低レベルを制御できる容量の素子（大、中、小、極小）を並列接続した回路が搭載されていないのである。
しかも、交流回路電線を接続するケーブル回路は、プラス極とマイナス極の線間に、従来の電圧で動作する基盤を前提に設計している同じ動作電圧のＳＰＤが１個又は複数個取り付けているのが現状で、パソコンやタブレット端末、携帯電話のスマートフォン、ＬＥＤ照明・太陽光発電基盤・風力発電基盤・ＥＶ充電システムにおいても等電位ボンディング接続された単独アース極に、雷サージも静電気サージ、電磁波サージ電流を流す対策がなされていない。
（２）地球温暖化対策のために、電子基板内の部品の消費電力を下げるために、低電圧化及び低電流仕様に改善改良され、携帯電話やデジタル放送等の電波が高周波や超高周波の電波が発信され、電線から侵入し電子機器内のデータが誤作動している中で、更に、静電気や雷サージ電流等の過剰電流に対して脆弱になっていること、情報管理データに対するハッカー、クラッカー等が発信するコンピュータウイルスに対しての基本的な対策が希薄なことである。ましてや近隣から自社ビルや自宅の風力発電・太陽光発電から発電された直流電流を家庭用・業務用蓄電池（ＥＶ・ＰＨＶを含む）に蓄電し、交流に変換するためのインバーター回路からのノイズ電流には、発電業界・ＥＶ業界・電子機器業界も取り付ける地域で周波数が異なるため電子機器基板内には対策がなされていない。
従って、デジタル放送の電波や携帯電話の電波、そして、直流から交流又は交流から直流に変換する太陽光発電・風力発電から発電した直流を蓄電池に蓄えるためのインバーター回路から発信される周波数と、雷・静電気サージ電流の対策が、電力回路と通信やセンサー回路、監視カメラ等の電源回路に対策が不十分であったことで、ハード面ばかりでなく、ソフトまでも破壊されている。
しかも、スマートグリッドシステムの心臓部である情報通信データを管理する記憶装置内に、コンピューターウイルスが侵入している現状と、ウイルスが侵入した記憶装置を廃棄処分するための方法として、データを破壊するためには機械的に粉砕しているのが現状であり、粉砕作業者の身体に悪影響を及ぼす観点からも新たなデータ破壊技術が必要不可欠である。
【０００６】
本発明者は、２０００年から２００３年に渡って、光通信システムの雷対策技術と、人体に帯電する静電気を電子機器に放電防止する技術を特許出願し、２００４年には、電線に流れる雷サージ電流の容量の異なる電流を確実に大地に流す（アースする）技術を特許文献１をもって提案している。また、ビルにおける落雷電流を大地に均等に流すこと、電磁波や静電気等の過剰電流をフロア内のフリーアクセス鉄板やフロア鉄筋と梁鉄筋、鉄骨に接続し、大地に埋設している基礎杭内の鉄筋とアース極のアース板とを並列接続することで、ビル内のフリーアクセス鉄板やフロア鉄筋と梁鉄筋、鉄骨に接続し、柱筋、柱鉄骨に接続し、大地に埋設している基礎杭内の鉄筋とアース極のアース板とを並列に接続することで、ビル内の電子機器を守ることができる技術も特許文献２をもって提案している。
【０００７】
一方、２００５年からは、ＩＥＣ規格で推進されている「等電位ボンディング工法」が世界的に採用されているが、地震の多発する日本やアジア諸国では、ＩＥＣ規格をそのまま採用することは困難である。そこで、本発明者は、躯体と基礎の間に制震装置をボルトナットで固定する際に、地震による揺れ幅の予兆を取った長さのアースケーブルを躯体側のボルトと基礎側に配置した制震装置と揺れ戻しダンパーの固定ボルト金具の両ボルト間に接続し、且つ、大地に埋設しているアース極と基礎杭内の金具を接続することで、ビル、太陽光発電装置に落雷した電流又は室内に配置している電子機器、屋外に取り付けているＥＶ充電機器とＥＶ、ＰＨＶと接続しているケーブル又は電線に流れる雷サージ電流、施工業者が帯電し放電する静電気から保護すると共に、電磁波、磁場と協働して発電し、発電された電気を蓄電池に蓄えるようにしたシステム等も提案している。
【０００８】
しかしながら、近年の電子部品は、前述したように、電圧と電流値が極めて低く設定され、従来のＳＰＤ（避雷器）クラス１、クラス２の素子は電子基板にサイズが適合せず収納できないという欠点と、そもそも応答開始電圧と応答速度が厳密に考慮されていないという問題があった。
【０００９】
さらに、電子機器内のＣＰＵ、メモリー、ソリッド・ステート・ドライブ（ＳＳＤ）、ハードディスク（ＨＤＤ）は、コンパクトかつ省エネタイプに移行し、消費電力も少なくて済むようになってきいている。電子機器に電力を供給する発電システムと、発電された電力を分配供給する分電盤とコンセント又は電子機器内部の電源のノイズ対策は、ノイズフィルターとＳＰＤ素子の大、中、小の素子の組み合わせによって行うことが好ましい。しかし、仮にＳＰＤ素子の大、中の素子サイズが、電子機器内部に取り付け可能な大きさだとしても、反射波（続流）が電子基板に侵入し、電子機器の電力回路にサージ電流が流れ、電子基板内の電子部品に悪影響を与えてしまい、瞬間に破壊されたり、時間の経過時に破壊されたり、端子が腐食劣化するといった不具合が生じる。このため、電子基板内に１０／３５０μｓ、８／２０μｓ、１．２／５０μｓのＳＰＤ素子を取り付けることは避けられてきた。つまり、電子回路設計者は電子部品の消費電力を下げる技術には粉骨するものの、ノイズ電流によって基板が破壊されることには無関心であった。したがって、建築物内の電線にシールド加工された電線を敷設し、分電盤内部やコンセント回路、ＬＥＤ照明であれば、電子基板内にも全てのノイズ対策し、侵入防止と回避回路に流れたことを視認できるシステムをゾーンディフェンスするためには、全てのノイズを電線から侵入させないシールディング、ホールディング、アースグランディングが不可欠な時代に入ってきている。
【００１０】
こうした状況下における一つの課題として、データセンター、ＰＣ、携帯電話におけるコンピュータウイルス対策がある。例えば、一般家庭に設置された太陽光発電装置（風力発電、振動発電等を含む）により発電された発電量を管理するにあたり、サイバー攻撃によって発電量データが書き換えられるようなおそれがある。すなわち、課金データが書き換わり決済における不具合が生じる。
【００１１】
従来のコンピュータウイルス対策としては、例えば、コンピュータをスタートさせるとき、コンピュータの複数のオペレーティングシステムのうち、アンチウイルスモジュールが配置されているオペレーティングシステムを選択してロードするステップと、アンチウイルスモジュールによって、アンチウイルスモジュールが配置されているオペレーティングシステム以外の複数のオペレーティングシステムのパーテイションに対してコンピュータウイルスを検知し、検知したコンピュータウイルスを削除又は隔離するステップを含むシステムが提案されている（特許文献３参照。）。
【先行技術文献】
【特許文献】
【００１２】
【特許文献１】特許第４４４１７２４号公報
【特許文献２】特許第４５９９８８４号公報
【特許文献３】特開２００９−３７６１８号公報
【発明の概要】
【発明が解決しようとする課題】
【００１３】
しかしながら、コンピュータウイルスが発信された時刻や発信された装置を特定することは極めて困難であり、新たなウイルスが発生する度に、逐一アンチウイルスのアプリケーションソフトウエアで対抗することは抜本的な対策とは言い難い。
【００１４】
本発明者は、太陽光発電、風力発電、ノイズ発電、光ファイバー発電、振動発電等で発電した電気を蓄電池に蓄え、ノイズ電流を除去した電力を交流回路に流す際に、ＥＶ（電気自動車）やＰＨＶの電源回路に、雷（落雷電流、誘導雷）や、電源ＯＮ、ＯＦＦ時の開閉サージや、静電気、電磁波（地上デジタル放送・デジタル携帯電話の電波）の全てのサージ電流に対して無防備であること、また、従来のＳＰＤ（避雷器）素子は落雷電流と、誘導雷サージ電流に対する応答電圧を設計はしたが、電子基盤の省エネルギー基板と、部品開発による動作電圧の低電圧化で、最低応答開始電圧が高過ぎ、且つ応答速度が遅いという欠点があることを指摘する。そのような、蓄電池とモーターとコンピュータと通信システムが搭載され、データセンターで監視するシステムは過剰電流に脆弱であること。つまり、パソコンや自動車内のメモリーは雷等のサージ電流に対して無防備であること、また、従来のＳＰＤ（避雷器）素子は、サージ電流に対する応答開始電圧レベル（１４００Ｖ〜５０００Ｖ）が高過ぎ、且つ応答速度が遅いという欠点があることを指摘する。しかも、地上デジタル放送や携帯電話が、通話と文字の伝送から映像を送信する技術に移行したことで、電波の波が直線に近い高周波・超高周波帯域の電波を近隣のビルの屋上が発信局となって送信することは、常時、あたかも雷サージ電流が放電されているようなものである。無線局が近ければ近いほど、隣接する建築物内部に電波が侵入し、電線から侵入することになり、電子基板に悪影響を及ぼし、ハードばかりでなくソフトまで原因不明のバグが発生し始めている。
【００１５】
本発明は、精密機械内のパソコンや、全てのパソコンを始め、ＬＥＤ照明、通信ネットワークの電子機器内部の記憶装置や、ＥＶやＰＨＶの記憶装置内の格納データを攻撃する全てのノイズやコンピュータウイルスを、恣意的（故意）に、通常時は定格電圧電流で通信しているケーブルに、雷を含むサージ電流が流れた時には、ＳＰＤで阻止し、ウイルスが侵入した時に限り、ＳＰＤの応答しない電圧と電流を放電することで、ウイルスデータだけを、破壊して駆除するシステムであり、また、廃棄処分されるＨＤＤやＳＳＤ等の記憶装置内の格納データを破壊して消去し、情報漏洩対策上も有用なコンピュータウイルス侵入防止システム及び、記憶装置格納データの削除システムを提供することを目的とする。
【課題を解決するための手段】
【００１６】
このため本発明の電子機器の記憶装置格納データの削除システムは、電源回路、カウンター表示部を備えたカウンター回路、ハードディスク（ＨＤＤ）又はソリッドステートドライブ（ＳＳＤ）を含む記憶装置が搭載された電子機器の電子基板に配された二極（単相３線式）又は三極（３相３線式）の交流回路接続端子に、
超高周波ノイズフィルターと、クラス３の応答開始電圧の保護レベル２３０Ｖから反応する第１の避雷素子と、クラス２の応答開始電圧の保護レベル２．５ＫＶから応答する第２の避雷素子と、クラス１の制限電圧の保護レベル１．４ＫＶから反応する第３の避雷素子とを並列に接続すると共に、
前記記憶装置に放電可能なサージ電流放電回路を、前記電子基板に付設し、
雷を含むサージ電流が流れたときには、該サージ電流を前記第１乃至第３の避雷素子で阻止し、ウイルスデータが侵入したときに限り、前記サージ電流放電回路によって、前記第１乃至第３の避雷素子の保護レベルに反応しない電圧と電流を前記記憶装置に放電することで、
前記電子機器の前記記憶装置に格納されたウイルスデータを破壊することを第１の特徴とする。
【００１７】
また、電力回路に低周波・高周波ノイズフィルターと並列接続されるＳＰＤの素子の大きさによる限界フラッシュオーバー電圧が２３０Ｖから反応しインパルス放電電流２０ＫＡまで放電可能な避雷素子（定格１．２／５０μｓ又は定格８／２０μｓ）と、フラッシュオーバー電圧１．４ＫＶから反応しインパルス放電電流４０ＫＡまで放電可能な定格８／２０μｓ又は１０／３５０μｓの避雷素子から選択される複数の避雷素子の組み合わせであることを第２の特徴とする。
【００１８】
電力会社から引き込まれた電力回路又は太陽光発電・風力発電・蓄電池と接続された電力回路と接続された分電盤、照明回路又はクーラー回路、ＥＶ・ＰＨＶに充電する充電ボックス又は車両に搭載された電子機器内又はテレビと接続されたネットワーク回路又はネットワーク通信回路に設けたことを特徴とする。
【００１９】
通信ネットワーク又はテレビケーブル又は無線ケーブルと、電力回路に、各々応答開始電圧の異なるサージ電流回避素子を複数個組み合わせて取り付け、接地抵抗の異なる接地極をニアバイアース接続すると共に、通信、アンテナ、センサーの直流回路と、電力回路のケーブルに応答開始電圧の異なるサージ電流回避素子を複数個取り付け、サージ電流回避素子のマイナス極を電力回路のサージ電流回避回路のマイナス極に接続し、等電位ボンディングケーブルにカウンター回路のカレントセンサーを取り付け、カウンター表示部と放電回路スイッチを取り付け、記憶装置にサージ電流を放電して格納されたデータを破壊することを第４の特徴とする。
【００２０】
ネットワーク通信機器を収納するサーバーラックに、少なくとも３台のサーバーの記憶装置を設置し、外部から引き込まれた通信ケーブルに接続された第１の記憶装置に、ハブを介して第２の記憶装置並びに第３の記憶装置を配設し、サーバーにコンピュータウイルスが侵入した際に、前記３台の記憶装置のうちの１台の電源オフにし、残りの２台のうちの１台を電源オンにし、ウイルスが侵入した記憶装置に過剰電流を放電することで、サーバーの格納データを全て破壊すると同時に当該格納データを前記電源オンにされた記憶装置にバックアップすることを第５の特徴とする。
【００２１】
ネットワークハブに接続されているケーブル間に配置された避雷器の応答開始電圧よりも低い電圧のサージ電流を放電することで、格納データを破壊することを第６の特徴とする。
【００２２】
サージ電流放電回路から複数のコネクターを分岐し、これら各々のコネクターに廃棄処分する記憶装置を接続して放電し、同時に複数台の記憶装置の格納データを消去することを第７の特徴とする。
【００２３】
すなわち、コンピュータウイルス、デジタル放送の電波、携帯電話の電波、ＧＰＳの電波や太陽光発電・風力発電のインバーターから発せられる電波の周波数から、電子機器のハードとデータソフトを守り、データの中の悪事を働くウイルスだけを根本的にウイルスを駆除するためには、敢えて、恣意的に雷電流のようなサージ電流を、ＨＤＤ、ＳＳＤ等の記憶装置に直接放電するか、又は、通信ケーブルと接続しているコネクターに放電するか、又は、電磁波を放射することで、コンピュータウイルスを含む不要な格納データを破壊して消去し、電子基板と必要なデータを自動的にバックアップして保護する。
【発明の効果】
【００２４】
本発明は、以下の優れた効果がある。
（１）有線・無線（携帯電話を含む）で、ネットワークに接続された電子機器のクーラーやテレビ・ＬＥＤ照明を含め、ＥＶやＰＨＶの電力回路に、全てのノイズの低周波・高周波・超高周波周波数帯域と、サージ電流の低圧（スイッチ開閉サージ）、中圧（静電気サージ）、高圧（雷サージ）電流から電子機器内のハード（電子部品）とソフトのデータをブロックし、通信システムに接続されたケーブルに送電される直流電源回路と電子機器内部の記憶装置内の格納データを攻撃するサージ電流で守り、しかも、コンピュータウイルスを、応答しないサージ電圧を放電することでウイルスデータだけを破壊して根本的に消去できる。
（２）廃棄処分されるＨＤＤやＳＳＤ等の記憶装置内の格納データを物理的破壊手段に依らずに容易に不必要なデータだけを消去することができ、情報漏洩防止を図り情報管理上有用である。
【００２５】
本発明は、コンセントに接続する電子機器内部と、発電装置（蓄電池を含む）の電子基板内にノイズフィルター回路とカウンター回路と、避雷器を取り付け、応答開始電圧の異なる複数種の避雷素子と、ノイズフィルターを分電盤内部に取り付け、更に、コンセント回路又はＯＡタップコンセント回路に内蔵し、且つ、コンセント回路又はＯＡタップコンセント回路に、取り外しできる容量の異なる素子を差し込み、しかも、携帯電話、テレビ等の電子機器とＬＥＤ、蓄電池、ＥＶ等の複数個所に全ての周波数ノイズと雷・静電気・電磁波サージ対策機器を取る付けることを要旨とする。
【００２６】
電子機器内部の電気回路の交流回路と直流回路に応答開始電圧の異なる素子とを直列又は並列に接続し、等電位ボンディングアース極に流す回路の電源回路ボックス内には、複数のマザーボードを供給する電源回路だけの構造から、通信ネットワークと接続され、データ通信で収集したデータをハードディスク（ＨＤＤ）又はソリッドステートドライブ（ＳＳＤ）の通信端子に、電源と通信ケーブルに取り付けているＳＰＤの応答開始電圧の低い領域を放電又はケース内のアンテナに電流を流すことで、データ通信中に雷サージ電流では、電力回路と通信回路の基板は破壊されないが、データ通信で約束されているデータ通信のアルゴリズム内の時間では、時間が掛かり過ぎるデータだけを通信ケーブルに放電しデータを破壊する。
【００２７】
そこで、自動又は手動で任意の数のネットワーク回路、例えば、Ａ、Ｂ、Ｃの３回路以上を設置し、各々の回路と接続する３システムのサーバーを順に切換え可能にしておき、Ａネットワークとサーバーで受信したデータをＢネットワークに切換え、Ｂサーバーが次のデータを受信している間に、ＣネットワークとＣサーバー回路のデータ通信システムをスタンバイさせれば、Ａサーバー内に閉じ込めたウイルスを雷サージ電流では電力回路と電源回路の通信ケーブルに流れても応答反応し、大地のアース極に流し、基板と通信データを守ることができる。
【００２８】
データ内にウイルスが侵入し、決められた通信時間がかかるデータであれば、雷電流サージ以下のノイズ電流を通信ケーブル又はハードディスク（ＨＤＤ）か、または、破壊しない程度の電流でハッカーのアルゴリズムを破壊するシステムを提供することで、電子機器も守れ、サイバー攻撃から守れるシステムに繋がる。すなわち、雷、静電気、電磁波から電子基板を守るためのノイズ電流を捨てる技術から、捨てていたノイズ電流をリサイクルし、発電することも可能で、電子基板のノイズ電流を発電システムへと応用し、ＳＰＤの技術の限界電圧をハッカー、クラッカー対策ノイズ電流として放電する技術に応用するものである。又、コンピュータや通信機器は勿論のこと、家電製品や発電システムにまでも記憶装置が搭載されデータの保存や通信が行われているが、故障や交換の際に記憶装置に格納されたデータをどのように消去するかが今後の大きな課題である。世界中に広がったコンパクトサイズの携帯電話やタブレット端末、そして、車両に搭載されたＧＰＳやＥＶ・ＰＨＶのデータ消却技術は現段階では確立されていない。
【図面の簡単な説明】
【００２９】
【図１】本発明に係るコンピュータウイルス削除システムの一実施例を示す（ａ）は斜視図、（ｂ）は回路図である。
【図２】本発明に係るコンピュータウイルス削除回路を（ａ）はＥＶ充電回路に、（ｂ）はパソコンの電源回路に搭載した場合を模式的に示す回路説明図である。
【図３】ＳＰＤ（クラス１）の応答開始電圧及び雷撃テスト結果を示すグラフである。
【図４】ＳＰＤ（クラス２）の応答開始電圧及び雷撃テスト結果を示すグラフである。
【図５】ＳＰＤ（クラス３）の応答開始電圧及び雷撃テスト結果を示すグラフである。
【図６】本発明に係るコンピュータウイルス削除回路にカウンターを付設し、ＬＥＤ照明装置を、分電盤に搭載した場合を模式的に示す回路説明図である。
【図７】本発明に係るコンピュータウイルス削除システム対策を施したサーバーを模式的に示す説明図である。
【図８】本発明に係るコンピュータウイルス削除システムの回路説明図である。
【図９】本発明に係るコンピュータウイルス削除システム対策を施したノイズ対策ボックスを模式的に示す斜視図である。
【発明を実施するための形態】
【実施例】
【００３０】
以下に、本発明の実施の形態を図面で示す実施例に基づいて説明する。
例えば図１（ａ）に示すようにノイズ・漏電カウンター回路と、低周波ノイズフィルターとＳＰＤ（６ａ、６ｂ、６ｃ）を分電盤内に収納し、ＯＡタップコンセント内にノイズ・漏電カウンター回路と高周波フィルターとＳＰＤを取り付けることで、電子機器は雷・静電気は守れるが、超高周波ノイズが流れるとフィルターが反応せず、基板内に超高周波ノイズだけが流れ、電子基板が誤作動し、データが破壊される。
特に、地上デジタル放送や携帯電話が、通話と文字の伝送からデータ量の大きな映像を送信する技術に移行したことで、電波の波が直線に近い高周波・超高周波帯域の電波を発信するため、電波の性質として反射波も出てしまい発信局の近隣の建築物内の電線に流れやすくなる。
すなわち、現在の電力事情は、屋上や敷地内又は近隣に太陽光発電や風力発電システムのインバーターからのノイズ電流が、近隣からと、自社ビル又は自宅内の電子機器に影響を出している事故が多発している。図１に示すように、本発明に係る記憶装置の格納データ消去及びコンピュータウイルス消去システムは、分電盤内部にノイズ・漏電カウンター回路付き低周波ノイズフィルターと、ＯＡタップコンセント内部に、ノイズ・漏電カウンター回路付き低周波又は高周波ノイズフィルターとＳＰＤをＯＡタップコンセントに収納し、電子機器内部の電源回路１、カウンター表示部２ａを備えたカウンター回路２、ハードディスク（ＨＤＤ）、ソリッドステートドライブ（ＳＤＤ）等の記憶装置３が搭載された電子機器の電子基板（マザーボード）４に配された二極又は三極の交流回路接続端子５に、高周波ノイズフィルター又は超高周波ノイズフィルターとＳＰＤを定格の異なる複数の避雷器（ＳＰＤ）６ａ，６ｂ，６ｃを並列に接続すると共に、この電子基板４に前記記憶装置３へのサージ電流放電回路７を付設して構成されている。また、図１（ａ）では、このＳＰＤ回路にアース極を取り付けたコンセント受け回路を並列接続し、電子機器のプラグを差し込むコンセント（通信ケーブル用避雷器と接続コネクターも並列接続することが可能）も合わせて構成されている。
【００３１】
図２（ａ）に示すように、車両に接続するための屋外ボックス内部に取り付けたり、又は、屋外コンセント回路と、車両（ＥＶ・ＰＨＶ）８の双方で二重に守るために、車両（ＥＶ・ＰＨＶ）８に搭載された電子機器収納ボックス内にサージ電流放電回路７を設けたり、図２（ｂ）に示すように、パーソナルコンピュータ（ＰＣ）９の電源回路１に、カウンター回路２とサージ電流放電回路７を付設して使用する。
【００３２】
ここで、図６に示す分電盤内部１、２ａと接続するＳＰＤ（６ａ，６ｂ，６ｃ）は、図３乃至図５のグラフに示すように、フラッシュオーバー電圧が２３０Ｖから反応しインパルス放電電流２０ＫＡまで放電可能な避雷素子（定格１．２／５０μｓ又は定格８／２０μｓ）と、フラッシュオーバー電圧１．４ＫＶから反応しインパルス放電電流４０ＫＡまで放電可能な定格１０／３５０μｓの避雷素子から選択されるクラス１、クラス２、クラス３と称される複数の避雷素子６ａ，６ｂ，６ｃである。また、クラス２かクラス３のどちらを受けボックス内に収納し、クラス１の５０ＫＡとクラス２の電流４０ＫＡを差し込むタイプのボックスにも応用できる。
【００３３】
図７に示すように、光通信ネットワーク１０を含む、通信ネットワーク又はテレビケーブル又は、センサーシステム、無線ケーブルの交流電源回路に応答開始電圧の異なるサージ電流回避素子６ａ，６ｂ，６ｃを複数個組み合わせて取り付け、接地抵抗の異なる水平地層と垂直地層の接地極Ｇと躯体の各フロアーの接地ケーブルの水平アースケーブルと各フロアーの垂直アースケーブルをニアバイアース接続すると共に、通信、アンテナ、センサーの直流回路のケーブルに応答開始電圧の異なるサージ電流回避素子６ａ，６ｂ，６ｃを一個又は複数個取り付け、サージ電流回避素子６ａ，６ｂ，６ｃのマイナス極を電力回路１のサージ電流回避回路７のマイナス極に接続し、等電位ボンディングケーブルにカウンター回路２のカレントセンサーを取り付け、カウンター表示部２ａと放電回路スイッチを取り付け、記憶装置３にサージ電流を放電して格納されたデータを破壊する。
【００３４】
図７に示すように、ネットワーク通信機器と、サーバーを収納するサーバーラック１１を、メインシステム１台とサブシステム２台配置し、サーバーラック１１の内部にも各々少なくとも３台の記憶装置３を設置し、外部から引き込まれた通信ケーブルに接続された第１の記憶装置に、ハブを介して通信させ、さらに、第２の記憶装置並びに第３の記憶装置を配設し、サーバー１にコンピュータウイルスが侵入した際に、前記３台の記憶装置３のうち１台の電源をオフにし、残りの２台のうち１台の電源をオンにし、ウイルスが侵入した記憶装置１台のネットワークケーブル又は記憶装置本体に過剰電流を放電することで、メインサーバーに侵入してきたデータを孤立させ、サブサーバーを切り替えることで、通常通信には影響が出ないシステムを構築する。これにより、通常通信に影響を及ぼすことなく、ウイルスの侵入経路やウイルスソフトの内容をじっくりと分析することができる。従って、従来はウイルスが侵入した場合、どのくらいの時間で拡散するのか見当がつかず、汚染された日時も特定できない状況であったが、これを解消できる。また、従来は、格納データをすべて削除する対処方法が採られていたため、ネットワークを通じてウイルスが外部に漏洩した後に格納データを削除しても抜本的な解決とはならなかったが、この点も解消できる。サージ電流のように、過剰電流を放電することと、ネットワークを孤立した状態で放電することで、すべてのウイルスを隔離した状態で消滅させることができ、例えば、サブ回路に攻撃を受けたとしても、次のサブ回路で通常運転ができるので、データ通信に影響は出ない。すなわち、３台のデータ回路と、サーバーのメイン回路１台と２台のサブ回路の合計９回路をローテーションして使用することで、ウイルスだけを破壊すると同時に当該格納データを電源オンされた記憶装置にバックアップする。
【００３５】
また、ネットワークハブに接続されているケーブル間に配置された避雷素子６ａ，６ｂ，６ｃ応答開始電圧よりも低い電圧のサージ電流を放電することで格納データを破壊する。サージ電流放電回路７から複数のコネクターを分岐し、これら各々のコネクターに記憶装置を接続して放電し、同時に複数台の記憶装置の格納データを消去することもできる。
【符号の説明】
【００３６】
１    電源回路
２    カウンター回路
２ａ  カウンター表示部
３    記憶装置（ＨＤＤ、ＳＤＤ）
４    電子基板
５    交流回路接続端子
６    避雷器
６ａ  避雷器（ＳＰＤ：クラス１）
６ｂ  避雷器（ＳＰＤ：クラス２）
６ｃ  避雷器（ＳＰＤ：クラス３）
７    サージ電流放電回路
８    車両（ＥＶ）
９    パーソナルコンピュータ（ＰＣ）
１０  通信ネットワーク又はテレビケーブル又は無線ケーブル
１１  サーバー
１２  ルーター
１３  ファイアーウォール
１４  ＬＥＤ照明
１５  漏電ブレーカー
１６  分電盤
１７  ノイズ対策ボックス
１８  ＯＡタップコンセント
１９  携帯端末
２０  商用電源コンセント
２１  電源ケーブル
２２  等電位ボンディングアースコンセント
２３  ＳＰＤ・ノイズフィルター付き電源回路
【図１】
0006443651.tif 000002
【図２】
0006443651.tif 000003
【図３】
0006443651.tif 000004
【図４】
0006443651.tif 000005
【図５】
0006443651.tif 000006
【図６】
0006443651.tif 000007
【図７】
0006443651.tif 000008
【図８】
0006443651.tif 000009
【図９】
0006443651.tif 000010